(57)【要約】【課題】タイマー予約設定操作をより簡易化する。【解決手段】ガスエンジン１３により発電機１４を駆動して発電を行ない、この発電電力を商用電力と同調させて電力負荷５８に対して電力を供給すると共に、当該ガスエンジン１３における排熱を回収して熱利用を行うコージェネレーションレーション１００において、前記電力負荷５８の電力需要あるいは前記熱利用需要に応じて設定された複数の動作モードのいずれかの１の選択、および、この選択された動作モードを実行開始する開始時刻の設定のための操作部６０１と、前記操作部６０１の操作によって選択された動作モードと、設定された開始時刻との組みを複数記憶する記憶部１１０ａを備え、現在時刻が前記開始時刻に至った場合には、当該開始時刻まで実行していた動作モードから、当該開始時刻と対応付けられた動作モードに動作モードを切替えて実行する構成とした。【選択図】      図５
2004325378.tif 000002
【特許請求の範囲】
【請求項１】
複数の動作モードのいずれかを択一的に実行する電子機器において、
複数の動作モードのいずれかの１の選択、および、選択された動作モードを実行開始する開始時刻の設定のための操作子と、
前記操作子の操作によって選択された動作モードと、設定された開始時刻との組みを複数記憶する記憶手段とを備え、
現在時刻が前記開始時刻に至った場合には、当該開始時刻まで実行していた動作モードから、当該開始時刻と対応付けられた動作モードに動作モードを切替て実行する
ことを特徴とする電子機器。
【請求項２】
内燃機関により発電機を駆動して発電を行ない、この発電電力を商用電力と同調させて負荷に対して電力を供給すると共に、当該内燃機関における排熱を回収して熱利用を行うコージェネレーションレーションにおいて、
前記負荷の電力需要あるいは前記熱利用需要に応じて設定された複数の動作モードのいずれかの１の選択、および、この選択された動作モードを実行開始する開始時刻の設定のための操作子と、
前記操作子の操作によって選択された動作モードと、設定された開始時刻との組みを複数記憶する記憶手段とを備え、
現在時刻が前記開始時刻に至った場合には、当該開始時刻まで実行していた動作モードから、当該開始時刻と対応付けられた動作モードに動作モードを切替えて実行する
ことを特徴とするコージェネレーションシステム。
【請求項３】
前記複数の動作モードは、
前記負荷の電力需要がある場合には、前記熱利用需要にかかわらず常に前記内熱機関を動作させる第１の動作モードと、
前記負荷の電力需要がある場合であっても、前記熱利用需要が無い場合には、前記内熱機関の動作を禁止する第２の動作モードと、
前記負荷の電力需要および前記熱利用需要にかかわらず、前記内熱機関の動作を禁止する第３の動作モードと
を有することを特徴とする請求項２に記載のコージェネレーションシステム。
【請求項４】
現在時刻に基づいて次に実行すべき動作モードを前記記憶手段から読み出し、既に設定登録されている情報として、当該読み出した動作モードと、当該動作モードの開始時刻との組みだけを表示する
ことを特徴とする請求項２に記載のコージェネレーションシステム。
【請求項５】
前記排熱は、給湯あるいは空気調和に利用される
ことを特徴とする請求項２に記載のコージェネレーションシステム。
【請求項６】
複数の動作モードのいずれかを択一的に実行する電子機器の動作モードの予約設定に用いられるリモートコントローラにおいて、
複数の動作モードのいずれかの１の選択、および、選択された動作モードを実行開始する開始時刻の設定のための操作子を備え、
前記電子機器に、前記操作子の操作によって設定された開始時刻に、選択された動作モードを実行させるべく、当該開始時刻と動作モードとの組みを前記電子機器に対して送信する
ことを特徴とするリモートコントローラ。
【発明の詳細な説明】
【０００１】
【発明の属する技術分野】
本発明は、ユーザが動作時間を設定可能な電子機器、コージェネレーションシステムおよびリモートコントローラに関する。
【０００２】
【従来の技術】
従来から、電子機器として、所望の時間に動作開始を可能にすべく、タイマー予約設定可能に構成されているものが広く用いられている（例えば、特許文献１）。例えば、ＶＴＲなどの録画用電子機器は、タイマー予約設定機能を有しており、ユーザは、リモートコントローラあるいは本体に設けられたテンキー等を操作し、録画を所望する番組の開始時刻、当該番組の終了時刻、当該番組のチャンネル番号、録画スピード等、必要な情報を所定の手順に従って予め入力しておくことにより、不在時にも所望の番組を録画することが出来るようになっている。
【０００３】
【特許文献１】
特開２００１−６６３８４号公報
【０００４】
【発明が解決しようとする課題】
しかしながら、従来のタイマー予約設定にあっては、少なくとも電子機器を動作させる期間、すなわち、動作の開始時刻および終了時刻を入力する必要があり、ユーザにとってタイマー予約設定が煩雑であるといった問題がった。
【０００５】
本発明は、上述した事情に鑑みてなされたものであり、タイマー予約設定操作をより簡易化することができる電子機器、コージェネレーションシステムおよびリモートコントローラを提供することを目的とする。
【０００６】
【課題を解決するための手段】
上記目的を達成するために、請求項１に記載の発明は、複数の動作モードのいずれかを択一的に実行する電子機器において、複数の動作モードのいずれかの１の選択、および、選択された動作モードを実行開始する開始時刻の設定のための操作子と、前記操作子の操作によって選択された動作モードと、設定された開始時刻との組みを複数記憶する記憶手段とを備え、現在時刻が前記開始時刻に至った場合には、当該開始時刻まで実行していた動作モードから、当該開始時刻と対応付けられた動作モードに動作モードを切替えて実行することを特徴とする電子機器を提供する。
【０００７】
請求項２に記載の発明は、内燃機関により発電機を駆動して発電を行ない、この発電電力を商用電力と同調させて負荷に対して電力を供給すると共に、当該内燃機関における排熱を回収して熱利用を行うコージェネレーションレーションにおいて、前記負荷の電力需要あるいは前記熱利用需要に応じて設定された複数の動作モードのいずれかの１の選択、および、この選択された動作モードを実行開始する開始時刻の設定のための操作子と、前記操作子の操作によって選択された動作モードと、設定された開始時刻との組みを複数記憶する記憶手段とを備え、現在時刻が前記開始時刻に至った場合には、当該開始時刻まで実行していた動作モードから、当該開始時刻と対応付けられた動作モードに動作モードを切替えて実行することを特徴とするコージェネレーションシステムを提供する。
【０００８】
請求項３に記載の発明は、請求項２に記載のコージェネレーションシステムにおいて、前記複数の動作モードは、前記負荷の電力需要がある場合には、前記熱利用需要にかかわらず常に前記内熱機関を動作させる第１の動作モードと、前記負荷の電力需要がある場合であっても、前記熱利用需要が無い場合には、前記内熱機関の動作を禁止する第２の動作モードと、前記負荷の電力需要および前記熱利用需要にかかわらず、前記内熱機関の動作を禁止する第３の動作モードとを有することを特徴とする。
【０００９】
請求項４に記載の発明は、請求項２に記載のコージェネレーションシステムにおいて、現在時刻に基づいて次に実行すべき動作モードを前記記憶手段から読み出し、既に設定登録されている情報として、当該読み出した動作モードと、当該動作モードの開始時刻との組みだけを表示することを特徴とする。
【００１０】
請求項５に記載の発明は、請求項２に記載のコージェネレーションシステムにおいて、前記排熱は、給湯あるいは空気調和に利用されることを特徴とする。
【００１１】
請求項６に記載の発明は、複数の動作モードのいずれかを択一的に実行する電子機器の動作モードの予約設定に用いられるリモートコントローラにおいて、複数の動作モードのいずれかの１の選択、および、選択された動作モードを実行開始する開始時刻の設定のための操作子を備え、前記電子機器に、前記操作子の操作によって設定された開始時刻に、選択された動作モードを実行させるべく、当該開始時刻と動作モードとの組みを前記電子機器に対して送信することを特徴とするリモートコントローラを提供する。
【００１２】
【発明の実施の形態】
以下図面を参照して本発明の実施形態について説明する。本実施形態では、ガスエンジンによって発電機を駆動して電気を発電すると共に、発電時の排熱を回収し給湯に利用するコージェネレーションシステムを例示する。
【００１３】
図１は、本実施形態にかかるコージェネレーションシステム１００の構造を示す一部破断斜視図である。この図に示すように、コージェネレーションシステム１００は、略直方体の筐体を有し、当該筐体の底部は、ベース部材１０と底板１１とによって構成されている。
【００１４】
また、コージェネレーションシステム１００は、筐体内部の空間を左右２つに仕切る仕切板２７を備えると共に、鋼材（フレーム）１８ａ〜１８ｃ、１９によって底板１１と略平行に支持される板材であり、当該仕切板２７によって仕切られた一方の空間（図中右側の空間）を上下２つの空間に仕切る仕切板３１とを備えている。これらの仕切板２７、３１により、筐体内部には、大別して３つの空間が形成され、各々が機械室１と、蓄熱室２と、放熱室３として利用される。なお仕切板２７、３１には、電気配線などの配線や冷媒管などの管を通すための開口が適宜の箇所に形成されている。
【００１５】
機械室１は、当該コージェネレーションシステム１００の駆動源や発電源を収容するためのものであり、当該機械室１には、内燃機関であるガスエンジン（駆動源）１３と、当該ガスエンジン１３の駆動力で駆動される発電機１４とが配設される。また、機械室１内の底板１１の面上には、２つの通気口１２が設けられ、これらの通気口１２により機械室１内の換気が可能となることで、熱がこもるのが防止される。さらに、機械室１内には、冷却水ポンプ１５と、排ガス装置１６と、図示しない燃料供給装置や冷却水タンクなどが納められる。上記発電機１４としては、本実施形態では、三相交流電力を発電する発電機が用いられている。
【００１６】
蓄熱室２は、ガスエンジン１３の排熱を蓄熱する蓄熱機構を収容するためのものであり、当該蓄熱室２には、ベース部材１０上にアングルで固定された給湯槽１７が納められる。さらに詳述すると、上記ガスエンジン１３には、図示せぬ排ガス熱交換器が設けられると共に、給湯槽１７の外周には、図示せぬ利用側熱交換器（凝縮器）が設けられており、ガスエンジン１３の冷却水が排ガス熱交換器にて加熱され、加熱後の冷却水の温度が所定温度以上（例えば６０℃以上）である場合には、利用側熱交換器に導かれ、当該利用側熱交換器と熱交換して給湯槽１７内の水を温めた後に、後述するラジエーター３２あるいはガスエンジン１３に戻される。また、ガスエンジン１３の冷却水が上記所定温度を下回る場合には、利用側熱交換器に導かれずに再びガスエンジン１３に戻される。
【００１７】
放熱室３は、機械室１の上方に設けられ、ガスエンジン１３の冷却水の放熱を行う放熱機構と、コントローラなどの電子部品とを収容するためのものである。具体的には、放熱室３には、冷却水を空冷するラジエーター３２が放熱室３の背面（図中奥側の面）に側して配設されると共に、制御ボックス３３が前面側に配設されている。また、ラジエーター３２の近傍には、送風機３４が設けられている。ラジエーター３２には、利用側熱交換器と熱交換した後の冷却水が所定温度以上（例えば８０℃以上）の場合に導かれ、当該ラジエーター３２にて放熱し冷却され、ガスエンジン１３の冷却水として機能する程度に冷却された後にガスエンジン１３に戻される。この放熱室３の上部は、排気トップ３０および吹出しグリル２８が取り付けられた吹出し口２９が設けられた天面パネル２４に覆われており、冷却水から放熱された熱が当該吹出し口２９から外部に放出される。また、上記送風機３４は、吹出し口２９の直下に配設される。一方、放熱室３の底面を形成する仕切板３１は、下方に凸な形状となっており、ドレンパン（水受け）として機能する。
【００１８】
制御ボックス３３は、コージェネレーションシステム１００の各部を制御するコントローラ１１０（図２参照）、発電機１４が発電した電力の供給を行うインバータ装置を備える制御装置４０およびボックス内温度センサ４１を内蔵している。
【００１９】
ここで、上記機械室１の側面は外装パネル２０、２１により覆われ、また、上記蓄熱室２の側面は外装パネル２５、２６により覆われ、さらにまた、放熱室３の側面は外装パネル２２、２３により覆われている。すなわち、各室１〜３には、各々個別の外装パネルが設けられており、作業員などは、筐体の外装全てを外さずとも、メンテナンス対象となる室の外装パネルを取りはずすだけで、その室に収納された部材を修理することが可能となっている。
【００２０】
次いで、コージェネレーションシステム１００のシステム構成について説明する。図２は、コージェネレーションシステム１００のシステム構成を示すブロック図である。この図において、図１と対応するものには同一の符号を付すものとする。
【００２１】
同図に示すように、コージェネレーションシステム１００は、上述したガスエンジン１３、発電機１４、コントローラ１１０の他に、動力伝達機構部５１、系統連系インバータ５２、エンジン制御部５３、排熱利用部６１、リモートコントローラ６０を備えている。
【００２２】
上記ガスエンジン１３は、エンジン制御部５３の制御の下、都市ガスなどの一次エネルギー源６２を燃焼させてタイミングベルトおよびプーリなどで構成される動力伝達機構部５１を介して発電機１４を駆動する。ガスエンジン１３の稼動時には、ガスエンジン１３の冷却水から排出される熱が排熱として排熱利用部６１に供給される。本実施形態では、図１に示すように、冷却水の排熱は、給湯槽１７内に温水のかたちで蓄えられ、給湯に利用される。
【００２３】
上記発電機１４は、動力伝達機構部５１を介してガスエンジン１３により駆動され、三相交流電力を発電する。
【００２４】
系統連系インバータ５２は、発電機１４の出力側に設けられ、発電機１４の発電電力を商業用電源５９から供給される商用電力と同じ電圧および同じ周波数にするものである。商業用電源５９は、例えば単相３線式１００Ｖの電源であり、商業用配電線が引き込まれた分電盤５４を介して電力負荷５８に電気的に接続されている。電力負荷５８は、例えばテレビ、冷蔵庫、洗濯機などの各種電気機器である。
【００２５】
上記系統連系インバータ５２からの発電電力は、例えばＩＧＢＴモジュールなどのコージェネ用スイッチ５７を備えた系統連系用配電線を介して分電盤５４に引き込まれ、上記商業用配電線と電気的に接続されており、コージェネ用スイッチ５７が閉状態のときに、発電機１４にて発生した発電電力が系統連系インバータ５２を介して商業用配電線（すなわち電力負荷５８）に送給される。
【００２６】
ブレーカ５６は、電力負荷５８に供給される電流値が定格電流を超えると、商業用電源５９と電力負荷５８との電気的接続（すなわち、商業用配電線）を強制的に電気的遮断するものである。
【００２７】
上記コントローラ１１０は、例えばＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）などの記憶部１１０ａを備えるマイクロプロセッサを有し、ガスエンジン１３の動作制御などシステム全体を動作制御するものである。また、コントローラ１１０は、上記系統連系インバータ５２やコージェネ用スイッチ５７などを制御する。具体的には、コントローラ１１０は、発電機１４の回転数あるいはガスエンジン１３の回転数に基づいて供給電力量をそのまま、あるいは、発電機１４の回転数あるいはガスエンジン１３の回転数に対応する供給電力量から所定のマージン電力量を加味して算出した電力量を系統連系インバータ５２の目標出力電力量（整合電力の電力量）として設定し、系統連系インバータ５２全体を制御する。これにより、系統連系インバータ５２は、設定された目標出力電力量に対して不足する場合には、自己の出力電流値を増加させて供給電力量を増大させ、目標出力電力が得られた場合には、その状態を維持することとなる。
【００２８】
ここで、本実施形態にかかるコージェネレーションシステム１００は、動作モードとして次の３つの動作モードを有している。すなわち、通常運転モード、省エネ運転モード、停止モードの３つのモードである。
【００２９】
通常運転モードとは、電力負荷５８における電力需要がある場合に、コージェネレーションシステム１００のコントローラ１１０が発電機１４を駆動して常に発電運転を行うモードである。従って、排熱利用部６１における熱需要が少なくても、ガスエンジン１３の運転が行われるため、ガスエンジン１３の冷却水から回収された排熱が余剰となった場合には、上記ラジエーター３２（図１参照）から放熱される。
【００３０】
省エネ運転モードとは、電力負荷５８における電力需要があっても、ガスエンジン１３の冷却水から回収した排熱が余剰となった場合には、コントローラ１１０がガスエンジン１３の運転を禁止するモードである。従って、電力負荷５８における電力需要があっても、給湯槽１７内の湯が沸き上がった後は、ガスエンジン１３の運転が禁止される。換言すれば、排熱利用部６１の負荷に合わせて発電機１４が駆動されるため、ラジエーター３２から余剰熱を放熱すること無しに効率良い運転が行われる。
【００３１】
停止モードとは、ガスエンジン１３の運転が禁止されるモードである。
【００３２】
コージェネレーションシステム１００は、コントローラ１１０に対してユーザの操作指示を入力するための、有線あるいは無線式のリモートコントローラ６０を備え、上記３つの動作モードは、ユーザが当該リモートコントローラ６０を操作することにより、曜日と時間とで動作モードのタイマー予約設定が可能となっている（いわゆるウィークリータイマー）。
【００３３】
図３は、かかるリモートコントローラ６０の構成を示す図である。この図に示すように、リモートコントローラ６０は、各種情報を表示する表示部６００と、複数の操作ボタンを有する操作部６０１とを備えている。表示部６００は、例えば液晶パネルを備え、大別して次の３つの表示エリアを有している。すなわち、現在情報表示エリア６００ａと、タイマー表示エリア６００ｂと、警告情報表示エリア６００ｃの３つである。
【００３４】
現在情報表示エリア６００ａは、現在時刻および曜日、現在の運転モード（図示例では運転状態）の他、現在の給湯温度や発電電力、給湯の沸き上がり完了、発電機１４の稼動有無が表示されるエリアであり、図４に示すように、現在の状況に応じた表示がなされる。
【００３５】
タイマー表示エリア６００ｂは、現在時刻に基づいて次ぎにタイマー予約設定されている運転モード、および、当該運転モードが運転される開始時刻が表示されるエリアである。具体的には、図４に示すように、次のタイマー予約設定として、何曜日の何時からどのような運転モードが設定されているかが表示される。
【００３６】
警告情報表示エリア６００ｃは、給湯槽１７内の温度がユーザによって設定された給湯設定温度以下のときに表示される「湯量注意」表示や、ガスエンジン１３などのオイル点検を促す「オイル点検」表示、コージェネレーションシステム１００が凍結予防運転中であることを報知する「凍結予防」表示がなされるエリアである。また、この警告情報表示エリア６００ｃには、コージェネレーションシステム１００が予約設定された運転モードに従って動作していることを示す「タイマー運転中」も表示される。
【００３７】
操作部６０１は、大別して、時刻設定ボタン群６０１ａ、タイマー設定ボタン群６０１ｂ、タイマー運転指示ボタン群６０１ｃ、給湯温度設定ボタン群６０１ｄを備えている。
【００３８】
時刻設定ボタン群６０１ａは、現在時刻および曜日の設定や、次に説明するタイマー設定時の時刻および曜日登録のために用いられるものであり、曜日を設定するための曜日ボタン、時刻を設定するための時ボタン、分ボタンを備えている。
【００３９】
タイマー設定ボタン群６０１ｂは、上記動作モードのタイマー予約設定のための操作子であり、タイマー設定の開始を指示するための設定ボタン、上記３つの運転モードのうちいずれか１つを選択するためのモード選択ボタンを備えている。また、当該タイマー設定時に、モード選択ボタンで選択した運転モードを開始させる曜日および時刻を設定する際には、上記時刻設定ボタン群６０１ａが用いられる。ここで、タイマー設定ボタン群６０１ｂには、さらに、現在までに登録されているタイマー予約設定を確認するための確認ボタンが設けられている。上記のように、表示部６００のタイマー表示エリア６００ｂには、現在時刻を基準にして次ぎに動作が予定されているタイマー予約設定のみが表示されるものの、この確認ボタンが押下されるごとに、さらに次のタイマー予約設定が順次表示されるように構成されている。
【００４０】
このように、タイマー表示エリア６００ｂには、これから実行される予定の全てのタイマー予約設定が表示されるのではなく、次に実行される予定のタイマー予約設定のみが表示されるから、ユーザが次ぎの動作モードを把握し易くなると共に、タイマー表示エリア６００ｂを広くすることなく、充分な視認性を確保することが可能となる。
【００４１】
タイマー運転指示ボタン群６０１ｃは、タイマー運転の開始および停止を指示するためのものであり、タイマー運転開始を指示するタイマーボタン、タイマー運転停止を指示する停止ボタンを備えている。
【００４２】
給湯温度設定ボタン群６０１ｄは、給湯槽１７内の温度、すなわち、給湯温度を設定するためのものである。
【００４３】
ところで本実施形態では、コージェネレーションシステム１００のコントローラ１１０は、タイマー予約設定として、３つの運転モードのいずれかを何曜日の何時から開始させるかという予約設定のみを受け付け、このタイマー予約設定に従ってガスエンジン１３の運転や各部の制御を行う構成となっている。
【００４４】
図５は、本実施形態にかかるタイマー予約設定動作を模式的に示す図である。同図（ｉ）に示すように、初期状態では、一日（時刻０：００〜２４：００迄）の動作モードとして停止モードが設定されており、この状態にあっては、コントローラ１１０は、ガスエンジン１３の運転を終日禁止することとなる。
【００４５】
上記初期状態において、リモートコントローラ６０からの指示により、開始時刻Ｔ１から省エネ運転モードをさせる旨のタイマー予約設定１がなされると（図５（ｉｉ））、コントローラ１１０は、当該開始時刻Ｔ１が到来して以降、以後の動作モードを先に設定されていた停止モードから省エネ運転モードに切替えガスエンジン１３を運転制御する。
【００４６】
さらに、図５（ｉｉｉ）に示すように、開始時刻Ｔ２から通常運転モードをさせる旨のタイマー予約設定２がなされると、当該開始時刻Ｔ２が到来して以降、以後の動作モードを省エネ運転モードから通常運転モードに切替えガスエンジン１３を運転制御することとなる。
【００４７】
このようなタイマー予約設定に従った運転モードの切替えは、次のようにして行われる。すなわち、コントローラ１１０が備える記憶部１１０ａ（図２参照）には、タイマー予約設定を管理するためのタイマー予約テーブル２００が記憶されている。図６に示すように、タイマー予約テーブル２００の１件のレコードには、曜日、開始時刻および動作モードが含まれており、コントローラ１１０は、リモートコントローラ６０からタイマー予約設定を受信するごとに、１件のレコードを生成し、タイマー予約テーブル２００に追加する。
【００４８】
そして、コントローラ１１０は、一定時間ごとに現在時刻を検索キーとして、現在時刻から過去最近の開始時刻を示すレコード（すなわち、タイマー予約設定）を検索し、該当するレコードに示される動作モードに従ってガスエンジン１３を運転制御する。従って、コージェネレーションシステム１００にあっては、現在時刻を基準にして過去最近にタイマー予約設定された運転モードが次ぎの開始予約設定までの間、継続して行われ、また、次の開始予約設定された時刻が到来したときには、予約設定内容に応じて動作モードの切替えが行われることとなる。
【００４９】
ここで、図６に示すように、タイマー予約テーブル２００には、タイマー予約設定にかかる情報として、選択された動作モードを実行すべき曜日も含まれている。これにより、例えば、図７に示すように、毎週、同一曜日には、同様な動作が行われることとなり、いわゆるウィークリータイマーとして機能する。
【００５０】
このように、本実施形態にかかるコージェネレーションシステム１００にあっては、ユーザが動作モードのタイマー予約設定する際に、その動作モードをさせるべき開始時刻と終了時刻、すなわち、時間帯を設定するのではく、開始時刻のみを設定すれば良い構成となっており、タイマー予約設定操作が非常に簡易なものとなる。
【００５１】
さらに、リモートコントローラ６０の表示部６００におけるタイマー表示エリア６００ｂには、タイマー予約設定にかかる情報として、開始時刻のみが表示され、終了時刻の表示が不必要となるから、表示が簡易となると共に、表示エリア一定であれば、表示を大きくすることができ、視認性を向上させることができる。換言すれば、充分な視認性を維持しつつ、表示エリアを小さくすることができる。
【００５２】
また、タイマー表示エリア６００ｂへのタイマー予約設定の表示にあっては、コントローラ１１０が、現在時刻を基準として次に実行すべき動作モードと、当該動作モードの開始時刻との組のみ（すなわち、１件のレコードのみ）を上記タイマー予約テーブル２００から読み出し、リモートコントローラ６０に送信して、表示部６００に表示させる構成となっている。この構成により、全てのタイマー予約設定（すなわち、タイマー予約テーブル２００に登録されている全てのレコード）を表示するのではなく、次に実行される予定のタイマー予約設定のみが表示されるから、ユーザが次ぎの動作モードを把握し易くなると共に、表示部６００のタイマー表示エリア６００ｂを広くすることなく、充分な視認性を確保することが可能となる。
【００５３】
ところで、上記のように、現在時刻を基準として過去最近のタイマー予約設定が参照され、現在時刻において、このタイマー予約設定に従った動作モードが実行される構成とすると、過去最近のタイマー予約設定が前日あるいは前々日の開始時刻を示すものである場合や、また、過去最近のタイマー予約設定がなされた日から現在に至るまでに休日が含まれている場合（すなわち、コージェネレーションシステム１００の運転休止期間が含まれている場合）には、ユーザが、過去最近のタイマー予約設定がどのような設定であったかを把握しておく事が困難となる。従って、ユーザがコージェネレーションシステム１００を動作させた場合に、ユーザの予期せぬ動作モードが実行されてしまう恐れがある。
【００５４】
そこで、本実施形態にかかるコージェネレーションシステム１００にあっては、図５に示すように、コントローラ１１０が毎日２４：００といった所定時刻に、動作モードの初期モードとして停止モードを設定する構成となっている。この構成により、毎日所定時刻から次の予約設定時刻までは初期モードが実行されることになり、ユーザが過去最近に設定した動作モードを把握しておく必要がない。
【００５５】
なお、初期モードとしは、機器に応じて任意の動作モードを設定可能である。例えば、装置各部への電力供給量を抑え、消費電力量を抑制すると共に、動作指示があった場合には即座に始動可能なモード（いわゆる、スタンバイモード）を設定しても良い。
【００５６】
また、この構成あっては、タイマー予約設定として「開始時刻２４：００から通常運転モード」といったように、開始時刻が「２４：００」のタイマー予約設定がなされると、コントローラ１１０は、２４：００が到来した場合に、初期モードに動作モードを切替えるのではなく、このタイマー予約設定によって指定された動作モードを実行する。これにより、２４：００に初期モードに切り替わることが禁止されるのである。なお、時刻２４：００を開始時刻とするタイマー予約設定が取り消されると、コントローラ１１０は、時刻２４：００に動作モードを初期モードとして設定された動作モードに切替えることとなる。
【００５７】
このように本実施形態によれば、前日あるいは前々日といったように、数日前にタイマー予約設定に従って過去最近に実行された動作モードをユーザが把握せずとも、日を改めて本体を動作させた場合には、動作モードとして初期モードが必ず実行されるから、ユーザの意図せぬ動作モードが実行されるのが防止される。
【００５８】
また、初期動作モードとして停止モードを設定しておくことで、装置本体が稼動され続けるのが防止される。
【００５９】
上述した実施形態は、あくまでも本発明の一態様にすぎず、本発明の範囲内で任意に変形可能である。
【００６０】
例えば、上述した実施形態において、電子機器としてコージェネレーションシステムについて例示したが、これに限らない。すなわち、複数の動作モードのうち、いずれか１を択一的に選択実行する電子機器であれば任意の電子機器に本発明を適用することが可能である。
【００６１】
【発明の効果】
以上説明したように、本発明によれば、タイマー予約設定操作をより簡易化することができる電子機器、コージェネレーションシステムおよびリモートコントローラが提供される。
【図面の簡単な説明】
【図１】本発明の実施形態にかかるコージェネレーションシステムの構造を示す一部破断斜視図である。
【図２】同コージェネレーションシステムのシステム構成を示すブロック図である。
【図３】同コージェネレーションシステムが備えるリモートコントローラの構成を示す図である。
【図４】同コージェネレーションシステムが備えるリモートコントローラの構成を示す図である。
【図５】本実施形態にかかる予約設定動作を模式的に示す図である。
【図６】同タイマー予約テーブルの構成を模式的に示す図である。
【図７】本実施形態にかかるウィークリータイマー予約設定を模式的に示す図である。
【符号の説明】
１３  ガスエンジン
１４  発電機
１７  給湯槽
３３  制御ボックス
４０  制御装置
５９  商業用電源
６０  リモートコントローラ
５８  電力負荷
６１  排熱利用部
１００  コージェネレーションシステム
１１０  コントローラ
１１０ａ  記憶部
２００  タイマー予約テーブル
６００  表示部
６０１  操作部
【図１】
2004325378.tif 000003
【図２】
2004325378.tif 000004
【図３】
2004325378.tif 000005
【図４】
2004325378.tif 000006
【図５】
2004325378.tif 000007
【図６】
2004325378.tif 000008
【図７】
2004325378.tif 000009